(57)【特許請求の範囲】
【請求項１】
相互に対向して平行に延びる第１および第２側壁（１７ａ，１７ｂ）と、第１および第２側壁（１７ａ，１７ｂ）を連結する連結壁（１７ｃ）とを一体に有するとともに前記連結壁（１７ｃ）に対向した開口部（１９Ａ，１９Ｂ）が第１および第２側壁（１７ａ，１７ｂ）の端部間に形成されるケース本体（１７）と、前記第１側壁（１７ａ）の端部に開閉可能に支承されて前記開口部（１９Ａ，１９Ｂ）を塞ぐ蓋板（１８Ａ，１８Ｂ）とを備える収納ケースにおいて、
横断面形状を長手方向全長にわたって一定として軽合金により押し出し成形される前記ケース本体（１７）に、前記第１側壁（１７ａ）の端部内面に連なるヒンジ部（３８）と、前記第２側壁（１７ｂ）の端部内面に連なる蓋受け部（３９）とが一体に形成され、横断面形状を長手方向全長にわたって一定として軽合金により押し出し成形される前記蓋板（１８Ａ，１８Ｂ）の幅方向両側に、前記ヒンジ部（３８）で回動可能に支承される被回動支持部（４０）と、前記蓋受け部（３９）で受けられる当接部（４１）とがそれぞれ一体に形成され、前記第２側壁（１７ｂ）の長手方向複数箇所の端部には、前記開口部（１９Ａ，１９Ｂ）を塞いだ状態にある前記蓋板（１８Ａ，１８Ｂ）の外面に係合して該蓋板（１８Ａ，１８Ｂ）を前記蓋受け部（３９）との間に挟む押さえ板（５１，５６）が、前記第２側壁（１７ｂ）に螺合するねじ部材（５２，５７）により締結されると共に、該ねじ部材（５２，５７）を緩めた状態では、前記押さえ板（５１，５６）が前記蓋板（１８Ａ，１８Ｂ）の外面との係合を解除する位置に変位可能であり、
前記第２側壁（１７ｂ）の端部に、その長手方向全長にわたる溝（５４，５８）が形成されると共に、前記押さえ板（５１，５６）には、該押さえ板（５１，５６）で前記蓋板（１８Ａ，１８Ｂ）を前記蓋受け部（３９）との間に挟んだときに前記溝（５４，５８）に係合する突起（５５，５９）が突設されることを特徴とする収納ケース。
【請求項２】
前記ケース本体（１７）の両側に開口部（１９Ａ，１９Ｂ）をそれぞれ形成するようにして第１および第２側壁（１７ａ，１７ｂ）の中間部が前記連結壁（１７ｃ）で一体に連結され、前記両開口部（１９Ａ，１９Ｂ）をそれぞれ塞ぎ得る一対の蓋板（１８Ａ，１８Ｂ）が、第１側壁（１７ａ）の幅方向両端部の前記ヒンジ部（３８）でそれぞれ開閉可能に支承されることを特徴とする、請求項１記載の収納ケース。
【発明の詳細な説明】
【０００１】
【発明の属する技術分野】
本発明は、相互に対向して平行に延びる第１および第２側壁と、第１および第２側壁を連結する連結壁とを一体に有するとともに前記連結壁に対向した開口部が第１および第２側壁の端部間に形成されるケース本体と、前記第１側壁の端部に開閉可能に支承されて前記ケース本体の開口部を塞ぐ蓋板とを備える収納ケースの改良に関する。
【０００２】
【従来の技術】
従来、かかる収納ケースでは、ケース本体における第１側壁の端部の複数箇所にヒンジ金具を介して蓋板の幅方向一端部が回動可能に取付けられるのが一般的である。
【０００３】
【発明が解決しようとする課題】
ところが、上記従来のようにヒンジ金具を用いるものでは、部品点数が増えるだけでなく、加工工数および組立工数の増加も招くことになる。しかも収納ケースが長尺物である場合にはケース本体側と蓋板側とでヒンジ金具を止めるための位置合わせ精度を高める必要があり、加工ミスや組立ミスが生じ易く、コストの増加を招く原因ともなる。
【０００４】
本発明は、かかる事情に鑑みてなされたものであり、部品点数、加工工数および組立工数の低減を図り、しかも長尺物であっても加工ミスや組立ミスが生じないようにして、コストの大幅な低下を可能とした収納ケースを提供することを目的とする。
【０００５】
【課題を解決するための手段】
上記目的を達成するために、請求項１の発明は、相互に対向して平行に延びる第１および第２側壁と、第１および第２側壁を連結する連結壁とを一体に有するとともに前記連結壁に対向した開口部が第１および第２側壁の端部間に形成されるケース本体と、前記第１側壁の端部に開閉可能に支承されて前記開口部を塞ぐ蓋板とを備える収納ケースにおいて、横断面形状を長手方向全長にわたって一定として軽合金により押し出し成形される前記ケース本体に、前記第１側壁の端部内面に連なるヒンジ部と、前記第２側壁の端部内面に連なる蓋受け部とが一体に形成され、横断面形状を長手方向全長にわたって一定として軽合金により押し出し成形される前記蓋板の幅方向両側に、前記ヒンジ部で回動可能に支承される被回動支持部と、前記蓋受け部に当接可能な当接部とがそれぞれ一体に形成され、前記第２側壁の長手方向複数箇所の端部には、前記開口部を塞いだ状態にある前記蓋板の外面に係合して該蓋板を前記蓋受け部との間に挟む押さえ板が、前記第２側壁に螺合するねじ部材により締結されると共に、該ねじ部材を緩めた状態では、前記押さえ板が前記蓋板の外面との係合を解除する位置に変位可能であり、前記第２側壁の端部に、その長手方向全長にわたる溝が形成されると共に、前記押さえ板には、該押さえ板で前記蓋板を前記蓋受け部との間に挟んだときに前記溝に係合する突起が突設されることを特徴とする。
【０００６】
このような構成によれば、蓋板はケース本体と一体のヒンジ部で支承されるので、ケース本体に蓋板を取付けるにあたり、蓋板およびケース本体以外の部品は不要となり、部品点数を低減することができ、またヒンジ金具等の部品を取り付けるための加工や組付けが不要となることにより加工工数および組立工数を低減することができる。しかも収納ケースが長尺物であっても、ケース本体および蓋板は、それぞれ断面形状を長手方向全長にわたって一定として軽合金により押し出し成形されるものであるので、加工ミスや組立ミスが生じる可能性が少なくなり、収納ケースのコストの大幅な減少が可能となる。
【０００７】
また第２側壁の長手方向複数箇所の端部に、前記開口部を塞いだ状態にある蓋板の外面に係合して該蓋板を蓋受け部との間に挟む押さえ板が、第２側壁に螺合するねじ部材を緩めた状態で蓋板の外面との係合を解除する位置に変位することを可能として、該ねじ部材により締結されるので、ねじ部材の第２側壁への螺合位置は適宜選択すればよく、ねじ部材で蓋板を直接第２側壁に締結するものに比べて、位置合わせが不要となり、それに応じて加工ミスや組立ミスが生じる可能性を少なくすることができ、しかも蓋板の開閉時にねじ部材を第２側壁から取り外す必要はなく、緩めればよいだけであるので、ねじ部材が紛失したり、高所に配置される収納ケースの場合にねじ部材が落下したりすることがない。
【０００８】
その上、第２側壁の端部に、その長手方向全長にわたる溝が形成され、押さえ板には、該押さえ板で蓋板を蓋受け部との間に挟んだときに前記溝に係合する突起が突設されるので、蓋板を蓋受け部との間に挟んだ状態にある押さえ板が振動等の作用によって変位して蓋板が不所望に開いてしまうことを、確実に防止することができる。
【０００９】
さらに請求項２の発明は、上記請求項１の発明の構成に加えて、前記ケース本体の両側に開口部をそれぞれ形成するようにして第１および第２側壁の中間部が前記連結壁で一体に連結され、前記両開口部をそれぞれ塞ぎ得る一対の蓋板が、第１側壁の幅方向両端部の前記ヒンジ部でそれぞれ開閉可能に支承されることを特徴とし、かかる構成によれば、収納ケース内を２つに分割し、収納ケースの両側を開閉可能とすることができる。
【００１０】
【発明の実施の形態】
以下、本発明の実施形態を、添付図面に示す本発明の一実施例に基づいて説明する。
【００１１】
図１〜図７は本発明の一実施例を示すものであり、図１は観覧車の支持パイプに取付けられたネオンユニットの側面図、図２は図１の２矢視図、図３は図１の要部拡大図、図４は図３の４−４線断面図、図５は図４の５矢視図、図６は蓋板開放状態での図４の６矢示部拡大図、図７は蓋板開放状態での図４の７矢示部拡大図である。
【００１２】
先ず図１および図２において、たとえば観覧車で放射状に延びる複数の支持パイプ１１…には、ネオンユニット１２…がそれぞれ取付けられており、このネオンユニット１２は、支持パイプ１１の長手方向に沿って延びる収納ケース１３と、その収納ケース１３に取付けられる複数のネオン管１４…と、ネオン管１４…を覆うように収納ケース１３に取付けられる透明な合成樹脂製のカバー１５，１５とを備える。
【００１３】
ネオン管１４…は、収納ケース１３の長手方向中央部を通り支持パイプ１１の軸線と直交する平面１６に関して対称にたとえば３列づつ並んで配置されるものであり、収納ケース１３に取付けられた３列のネオン管１４…をそれぞれ覆う一対のカバー１５，１５が収納ケース１３に取付けられる。
【００１４】
図３〜図５を併せて参照して、収納ケース１３は、ケース本体１７と、そのケース本体１７の両側にそれぞれ開閉可能に支承される第１および第２蓋板１８Ａ，１８Ｂとを備え、ケース本体１７および両蓋板１８Ａ，１８Ｂは、軽合金たとえばアルミニウム合金により横断面形状を長手方向全長にわたって一定としてそれぞれ押し出し成形されて成るものである。
【００１５】
ケース本体１７は、支持パイプ１１の長手方向に沿って平行に延びて相互に対向する第１および第２側壁１７ａ，１７ｂと、第１および第２側壁１７ａ，１７ｂの中間部を連結する連結壁１７ｃとを一体に有するものであり、連結壁１７ｃに対向した第１および第２開口部１９Ａ，１９Ｂが第１および第２側壁１７ａ，１７ｂの幅方向両端部間にそれぞれ形成される。
【００１６】
第１側壁１７ａの外面は、ケース本体１７の幅よりも大きな幅を有する支持板２０に締結される。すなわち第１側壁１７ａの内面に設けられて長手方向に延びる複数たとえば３つの溝２１…に、その長手方向に間隔をあけた複数箇所でナット２２…がそれぞれ回転不能に嵌合され、それらのナット２２…に螺合するようにして第１側壁１７ａにその外面側から挿通されるねじ部材２３…を締めつけることで、第１側壁１７ａが支持板２０に締結される。しかも皿ねじである前記各ねじ部材２３…の頭部は、支持板２０の第１側壁１７ａとは反対側の面と面一となる。
【００１７】
一方、観覧車の支持パイプ１１には、Ｌ型鋼から成るブラケット２４…が収納ケース１３の長手方向両端部に対応した位置て溶接等によって固着されており、前記ケース本体１７の両側で支持板２０およびブラケット２４にボルト２５，２５がそれぞれ挿通され、それらのボルト２５，２５に、一対のナット２６…，２７…がそれぞれ螺合されることでケース本体１７が支持パイプ１１に取付けられる。
【００１８】
また支持板２０および第１側壁１７ａには、支持板２０から支持パイプ１１側に突出するリング部２８ａを有するワイヤ受け金具２８が固定されており、支持パイプ１１の略半周に巻き掛けられる無端状のステンレスワイヤ２９が、ブラケット２４に設けられた一対の貫通孔３０，３１ならびに前記リング部２８ａに挿通されることで、ケース本体１７の支持パイプ１１からの脱落が確実に阻止される。
【００１９】
第２側壁１７ｂの外面には、各ネオン管１４…の両端寄りの部分を保持するネオンサポート３４，３４…がねじ部材３５…によりそれぞれ締結されるとともに、各ネオン管１４…の両端を共通に覆う電極カバー３６…がそれぞれ締結される。
【００２０】
第１蓋板１８Ａは、ケース本体１７の連結壁１７ａとの間に配線収納スペース３７を形成するようにして、第１開口部１９Ａを閉鎖し得るものであり、第１側壁１７ａの幅方向一端部に開閉可能に支承される。
【００２１】
図６において、ケース本体１７には、第１側壁１７ａの幅方向一端部内面に連なるヒンジ部３８と、第２側壁１７ｂの幅方向一端部内面に連なる蓋受け部３９とが一体に形成され、第１蓋板１８Ａの幅方向両側には、ヒンジ部３８で回動可能に支承される被回動支持部４０と、蓋受け部３９に当接可能な当接部４１とがそれぞれ一体に形成される。
【００２２】
前記ヒンジ部３８は、第１側壁１７ａの幅方向一端に基端が直角に連なって第２側壁１７ｂ側に延びる第１支持壁部分３８ａと、この第１支持壁部分３８ａの先端に直角に連なってわずかに内側に延びる第１係止壁部分３８ｂと、第１支持壁部分３８ａの内側中間部に基端が直角に連なるとともに第１支持壁部分３８ｂの内側で内方に向けて膨らんで彎曲しつつ第２側壁１７ｂ側に延びる第２支持壁部分３８ｃと、第２支持壁部分３８ｃの先端に直角に連なってわずかに外側に延びる第２係止壁部分３８ｄとから成る。第２支持壁部分３８ｃの先端すなわち第２係止壁部分３８ｄは、第１支持壁部分３８ａの先端すなわち第１係止壁部分３８ｂよりも第２側壁１７ｂ側に配置され、第１および第２係止壁部分３８ｂ，３８ｄは、それら３８ｂ，３８ｄの先端間に間隙が生じるように形成される。
【００２３】
また蓋受け部３９は、第２側壁１７ｂの幅方向一端部内面との間に嵌合溝４２を形成するようにして第２側壁１７ｂの幅方向一端寄り内面に基端が直角に連なる略Ｌ字状の第３支持壁部分３９ａと、第３支持壁部分３９ａの先端に直角に連なって第１側壁１７ａ側にわずかに延びる受け壁部分３９ｂとから成る。
【００２４】
一方、ヒンジ部３８で回動可能に支承される第１蓋板１８Ａの被回動支持部４０は、第１蓋板１８Ａの幅方向一側内面に基端が直角に連設される当接板部分４０ａと、該当接板部分４０ａの先端に直角に連設される係合板部分４０ｂと、該係合板部分４０ｂの中間部に設けられた山形の隆起部分４０ｃと、隆起部分４０ｃとは反対側で係合板部分４０ｂの中間部に直角に連設される規制板部分４０ｄとから成る。
【００２５】
このような被回動支持部４０およびヒンジ部３８によれば、第１蓋板１８Ａが図６の実線で示すように開放位置にある状態では、第１支持壁部分３８ａの外面に当接した当接板部分４０ａと規制壁部分４０ｄとの間に挟んだ第１係止壁部分３８ｂで係合板部分４０ｂが支持されるとともに係合板部分４０ｂの先端が第２係止壁部分３８ｄに係合した状態にあり、また第１蓋板１８Ａが図６の鎖線および図４で示すように閉鎖位置にある状態では、先端を第２支持壁部分３８ｃの基端部に当接させた係合板部分４０ｂが第１および第２係止壁部分３８ｂ，３８ｄの先端間に挟まれた状態にある。しかも第１蓋板１８Ａは、規制板部分４０ｄおよび当接板部分４０ａ間で係合板部分４０ｂの内面が第１係止壁部分３８ｂの先端に摺接しつつ第２係止壁部分３８ｄの先端に隆起部分４０ｃを摺接させるようにして、開放位置および閉鎖位置間で回動することになる。
【００２６】
また蓋受け部３９で受けられる第１蓋板１８Ａの当接部４１は、第１蓋板１８Ａの幅方向他側の一部と、嵌合溝４２に嵌合し得るようにして第１蓋板１８Ａの幅方向他側内面から突出される突出壁部分４１ａとで構成されるものであり、第１蓋板１８Ａが図６の鎖線および図４で示す様に閉鎖位置にある状態では、突出壁部分４１ａを嵌合溝４２に嵌合させるようにして第１蓋板１８Ａの幅方向他側内面が蓋受け部３９の受け壁部分３９ｂに当接、支持されることになる。しかも当接部４１付近の第１蓋板１８Ａの強度を増強するために、当接部４１の近傍で第１蓋板１８Ａの内面には、第１蓋板１８Ａの長手方向全長にわたる補強壁４３が突設される。
【００２７】
第２蓋板１８Ｂは、ケース本体１７の連結壁１７ｃとの間にトランス収納スペース４４を形成するようにして、第２開口部１９Ｂを閉鎖し得るものであり、第１側壁１７ａの幅方向他端部に開閉可能に支承される。しかもトランス収納スペース４４に収納されるトランス４５は、図４で示すように、ねじ部材４６によって連結壁１７ｃに締結される。
【００２８】
図７において、ケース本体１７には、第１側壁１７ａの幅他端部内面に連なるヒンジ部３８と、第２側壁１７ｂの幅方向他端内面に連なる蓋受け部３９とが一体に形成され、第２蓋板１８Ｂの幅方向両側には、ヒンジ部３８で回動可能に支承される被回動支持部４０と、蓋受け部３９に当接可能な当接部４１とがそれぞれ一体に形成される。
【００２９】
ケース本体１７の幅方向他側のヒンジ部３８、蓋受け部３９、被回動支持部４０および当接部４１は、ケース本体１７の幅方向一側のヒンジ部３８、蓋受け部３９、被回動支持部４０および当接部４１と同一の構造であるので、ケース本体１７における幅方向他側のヒンジ部３８、蓋受け部３９、被回動支持部４０および当接部４１については、ケース本体１７の幅方向一側におけるヒンジ部３８、蓋受け部３９、被回動支持部４０および当接部４１と同一の符号を付して図７に示すのみで、詳細な説明は省略する。
【００３０】
而して第２蓋板１８Ｂの当接部４０はガスケット４７を介して第２側壁１７ｂの蓋受け部３９で受けられる。
【００３１】
ところで、カバー１５の幅方向両端には平坦な鍔部１５ａ，１５ｂがそれぞれ一体に設けられており、一方の鍔部１５ａは、第２側壁１７ｂの幅方向一端部外面に設けられる第１カバー受け部４８に当接され、他方の鍔部１５ｂは、第２側壁１７ｂの幅方向他端部外面に設けられる第２カバー受け部４９に嵌合される。すなわち第２カバー受け部４９には、前記鍔部１５ｂを嵌合せしめるようにしてケース本体１７の長手方向全長にわたる支持溝５０が設けられる。
【００３２】
第２側壁１７ｂの幅方向一端部においてその長手方向に沿う複数箇所には、第１開口部１９Ａを塞いだ状態にある第１蓋板１８Ａの外面に係合して第１蓋板１８Ａを蓋受け部３９との間に挟む第１押さえ板５１…が、ねじ部材５２…により締結される。
【００３３】
第１押さえ板５１…は、その一端側で第１蓋板１８Ａを蓋受け部３９との間に挟んだ状態にあるときに前記カバー１５の鍔部１５ａに係合して該鍔部１５ａを第１カバー受け部４８との間に挟む係合部５１ａを他端側に一体に備えるとともに、前記ねじ部材５２を挿通せしめる長孔５３とを備えるものであり、第１蓋板１８Ａを蓋受け部３９との間に挟むとともにカバー１５の鍔部１５ａを第１カバー受け部４８との間に挟んだ状態で、ねじ部材５２を締めつけることにより、第１蓋板１８Ａがケース本体１７に固定されるとともに、カバー１５がケース本体に１７固定される。
【００３４】
またねじ部材５２を緩めることで、第１押さえ板５１を図６で示すように変位させることにより、第１蓋板１８Ａを蓋受け部３９との間に挟んだ状態を解除するとともに前記カバー１５の鍔部１５ａを第１カバー受け部４８との間に挟んだ状態を解除することが可能であり、この状態でカバー１５を収納ケース１３から取り外すことができる。
【００３５】
しかも第２側壁１７ｂの幅方向一端部の外面には、その長手方向全長にわたる溝５４が形成されており、前記ねじ部材５２は、その溝５４の閉塞端にねじ込まれるのであるが、第１押さえ板５１には、第１蓋板１８Ａを蓋受け部３９との間に挟むとともにカバー１５の鍔部１５ａを第１カバー受け部４８との間に挟んだ状態で、ねじ部材５２の両側で前記溝５４に係合する一対の突起５５，５５が突設される。
【００３６】
第２側壁１７ｂの幅方向他端部においてその長手方向に沿う複数箇所には、第２開口部１９Ｂを塞いだ状態にある第２蓋板１８Ａの外面に係合して第２蓋板１８Ｂを蓋受け部３９との間に挟む第２押さえ板５６が、ねじ部材５７により締結される。
【００３７】
第２蓋板１８Ｂを第２押さえ板５６および蓋受け部３９との間に挟んだ状態で、ねじ部材５７を締めつけることにより、第２蓋板１８Ｂがケース本体１７に固定される。
【００３８】
またねじ部材５７を緩めることで、第２押さえ板５６を図７で示すように回動変位させることにより、第２蓋板１８Ｂを蓋受け部３９との間に挟んだ状態を解除することが可能である。
【００３９】
しかも第２側壁１７ｂの幅方向他端部の外面には、その長手方向全長にわたる溝５８が形成されており、前記ねじ部材５７は、その溝５８の閉塞端にねじ込まれるのであるが、第２押さえ板５６には、第２蓋板１８Ｂを蓋受け部３９との間に挟んだ状態で、前記溝５８に係合する突起５９が突設される。
【００４０】
さらにケース本体１７の長手方向両端には、配線収納スペース３７およびトランス収納スペース４４の両端を閉じる端板６０…が締結される。
【００４１】
次にこの実施例の作用について説明すると、横断面形状を長手方向全長にわたって一定としてアルミニウム合金等の軽合金により押し出し成形されるケース本体１７に、第１側壁１７ａの幅方向両端部内面に連なる一対のヒンジ部３８…と、第２側壁１７ｂの幅方向両端部内面に連なる一対の蓋受け部３９…とが一体に形成され、横断面形状を長手方向全長にわたって一定としてアルミニウム合金等の軽合金により押し出し成形される第１および第２蓋板１８Ａ，１８Ｂの幅方向両側に、前記各ヒンジ部３８…で回動可能に支承される被回動支持部４０…と、前記各蓋受け部３９…に当接可能な当接部４１…とがそれぞれ一体に形成されている。
【００４２】
したがって各蓋板１８Ａ，１８Ｂはケース本体１７と一体のヒンジ部３８…でそれぞれ支承されることになり、ケース本体１７に蓋板１８Ａ，１８Ｂを取付けるにあたり、蓋板１８Ａ，１８Ｂおよびケース本体１７以外の部品は不要となり、部品点数を低減することができ、またヒンジ金具等の部品を取り付けるための加工や組付けが不要となることにより加工工数および組立工数を低減することができる。
【００４３】
しかも収納ケース１３が、この実施例のように長尺物であっても、ケース本体１７と、第１および第２蓋板１８Ａ，１８Ｂとは、それぞれ断面形状を長手方向全長にわたって一定として押し出し成形されるものであるので、加工ミスや組立ミスが生じる可能性が少なくる。したがって収納ケース１３のコストの大幅な減少が可能となる。
【００４４】
また第２側壁１７ｂの長手方向複数箇所の幅方向両端部に、第１および第２開口部１９Ａ，１９Ｂを塞いだ状態にある各蓋板１８Ａ，１８Ｂの外面に係合してそれらの蓋板１８Ａ，１８Ｂを蓋受け部３９…との間に挟む第１および第２押さえ板５１…、５６…が、第２側壁１７ａに螺合するねじ部材５２…，５７…を緩めた状態で各蓋板１８Ａ，１８Ｂの外面との係合を解除する位置に変位することを可能として、前記ねじ部材５２…、５７…により締結されている。
【００４５】
このような蓋板１８Ａ，１８Ｂの取付け構造によれば、ねじ部材５２…，５７…の第２側壁１７ｂへの螺合位置は適宜選択すればよく、ねじ部材で蓋板を直接第２側壁１７ｂに締結するものに比べて、位置合わせが不要となり、それに応じて加工ミスや組立ミスが生じる可能性を少なくすることができる。しかも第１および第２蓋板１８Ａ，１８Ｂの開閉時にねじ部材５２…，５７…を第２側壁１７ｂから取り外す必要はなく、緩めればよいだけであるので、ねじ部材５２…，５７…が紛失したり、観覧車の支持パイプ１１に取り付けられる本実施例のように高所に配置される収納ケース１３の場合にねじ部材５２…，５７…が落下したりすることがない。
【００４６】
また第２側壁１７ｂの端部にはその長手方向全長にわたる溝５４，５８が形成され、前記各押さえ板５１…，５６…には、それらの押さえ板５１…，５６…で前記蓋板１８Ａ，１８Ｂを前記蓋受け部３９…との間に挟んだときに前記溝５４，５８に係合する突起５５…，５９が突設されている。これにより、各蓋板１８Ａ，１８Ｂを蓋受け部３９…との間に挟んだ状態にある押さえ板５１…，５６…が振動等の作用によって変位して蓋板１８Ａ，１８Ｂが不所望に開いてしまうことを確実に防止することができる。
【００４７】
さらにケース本体１７の両側に第１および第２開口部１９Ａ，１９Ｂをそれぞれ形成するようにして第１および第２側壁１７ａ，１７ｂの中間部が連結壁１７ｃで一体に連結され、第１および第２開口部１９Ａ，１９Ｂをそれぞれ塞ぎ得る第１および第２蓋板１８Ａ，１８Ｂが、第１側壁１７ａの幅方向両端部にそれぞれ開閉可能に支承されるので、収納ケース１３内を２つに分割し、収納ケース１３の両側を開閉可能とすることができる。
【００４８】
以上、本発明の実施例を説明したが、本発明は上記実施例に限定されるものではなく、特許請求の範囲に記載された本発明を逸脱することなく種々の設計変更を行うことが可能である。
【００４９】
たとえば上記実施例では、ネオンユニット１２の一部を構成する収納ケース１３について説明したが、本発明は、相互に対向して平行に延びる第１および第２側壁と、第１および第２側壁を連結する連結壁とを一体に有するとともに前記連結壁に対向した開口部が第１および第２側壁の端部間に形成されるケース本体と、前記第１側壁の端部に開閉可能に支承されて前記ケース本体の開口部を塞ぐ蓋板とを備える収納ケースに関連して広く実施することができる。
【００５０】
【発明の効果】
以上のように本発明によれば、ケース本体に蓋板を取付けるにあたり、蓋板およびケース本体以外の部品は不要となり、部品点数を低減することができ、またヒンジ金具等の部品を取り付けるための加工や組付けが不要となることにより加工工数および組立工数を低減することができる。しかもケース本体および蓋板は、それぞれ断面形状を長手方向全長にわたって一定として軽合金により押し出し成形されるものであるので、加工ミスや組立ミスが生じる可能性が少なくり、収納ケースのコストの大幅な減少が可能となる。
【００５１】
また、ねじ部材で蓋板を直接第２側壁に締結するものに比べて位置合わせが不要となり、加工ミスや組立ミスが生じる可能性を少なくすることができ、しかもねじ部材が紛失したり、高所に配置される収納ケースの場合にねじ部材が落下したりすることがない。その上、蓋板を蓋受け部との間に挟んだ状態にある押さえ板が振動等の作用によって変位して蓋板が不所望に開いてしまうことを確実に防止することができる。
【００５２】
さらに請求項２の発明によれば、収納ケース内を２つに分割し、収納ケースの両側を開閉可能とすることができる。
【図面の簡単な説明】
【図１】  観覧車の支持パイプに取付けられたネオンユニットの側面図である。
【図２】  図１の２矢視図である。
【図３】  図１の要部拡大図である。
【図４】  図３の４−４線断面図である。
【図５】  図４の５矢視図である。
【図６】  蓋板開放状態での図４の６矢示部拡大図である。
【図７】  蓋板開放状態での図４の７矢示部拡大図である。
【符号の説明】
１３・・・収納ケース
１７・・・ケース本体
１７ａ・・・第１側壁
１７ｂ・・・第２側壁
１７ｃ・・・連結壁
１８Ａ，１８Ｂ・・・蓋板
１９Ａ，１９Ｂ・・・開口部
３８・・・ヒンジ部
３９・・・蓋受け部
４０・・・被回動支持部
４１・・・当接部
５１，５６・・・押さえ板
５２，５７・・・ねじ部材
５４，５８・・・溝
５５，５９・・・突起
【図１】
0004104379.tif 000002
【図２】
0004104379.tif 000003
【図３】
0004104379.tif 000004
【図４】
0004104379.tif 000005
【図５】
0004104379.tif 000006
【図６】
0004104379.tif 000007
【図７】
0004104379.tif 000008